(57)【要約】【課題】更新に伴う切替スペースを省スペース化できる切替方法及び監視制御システムを提供することである。【解決手段】実施形態の切替方法は、旧監視制御システムから新監視制御システムに状態データの送信先を切替える切替方法であって、第１接続ステップと、第１導入ステップと、第１切替ステップと、第２接続ステップと、第２導入ステップと、第２切替ステップと、を持つ。第１接続ステップは、状態データを送信するコントローラが備える第２伝送部の伝送ケーブルを、新監視制御システムに接続される第５通信装置及び第６通信装置へ接続する。第１導入ステップは、第２伝送部に新監視制御システム接続ソフトウェアを導入する。第１切替ステップは、第２伝送部による状態データの送信先を新監視制御システムへ切り替える。第１切替ステップが実行されると、同様のステップで第１伝送部の状態データの送信先を新監視制御システムに切替える。【選択図】図３
2018156583.tif 000002
【特許請求の範囲】
【請求項１】
プラント設備の稼働状態を監視する既設のシステムである旧監視制御システムから、プラント設備の稼働状態を監視する未設のシステムである新監視制御システムに、プラント設備の稼働状態を表す状態データの送信先を切り替える切替方法であって、
前記状態データを送信するコントローラが備える第２伝送部の伝送ケーブルを、前記新監視制御システムと通信可能に接続される第５通信装置及び第６通信装置へ接続する第１接続ステップと、
前記第２伝送部が備える記憶部に前記新監視制御システム接続ソフトウェアを導入する第１導入ステップと、
前記第２伝送部による前記状態データの送信先を前記新監視制御システムへ切り替える第１切替ステップと、
前記コントローラが備える第１伝送部の伝送ケーブルを、前記新監視制御システムと通信可能に接続される前記第５通信装置及び前記第６通信装置へ接続する第２接続ステップと、
前記第１伝送部が備える記憶部に前記新監視制御システム接続ソフトウェアを導入する第２導入ステップと、
前記第１伝送部による前記状態データの送信先を前記新監視制御システムへ切り替える第２切替ステップと、
を有する切替方法。
【請求項２】
前記第１接続ステップ、第１導入ステップ及び前記第１切替ステップが実行されると、
前記第１伝送部は前記状態データを旧監視制御システムへ送信し、
前記第２伝送部は前記状態データを新監視制御システムへ送信可能になる
請求項１に記載の切替方法。
【請求項３】
前記第１接続ステップ、第１導入ステップ及び前記第１切替ステップが実行されると、
前記状態データは、所定の条件を満たす場合、前記第１伝送部から旧監視制御システムへ送信され、
所定の条件を満たさない場合、前記第２伝送部から新監視制御システムへ送信される、
請求項１又は２に記載の切替方法。
【請求項４】
プラント設備の稼働状態を表す監視する既設のシステムである旧監視制御システムと、
プラント設備の稼働状態を監視する未設のシステムである新監視制御システムと、
プラント設備の稼働状態を表す状態データを送信するコントローラを備えるコントローラ設備と、
を備え、
前記コントローラは、所定の条件を満たす場合、前記状態データを旧監視制御システムへ送信する第１伝送部と、
所定の条件を満たさない場合、前記状態データを新監視制御システムへ送信する第２伝送部と、
を備える監視制御システム。
【発明の詳細な説明】
【技術分野】
【０００１】
本発明の実施形態は、切替方法及び監視制御システムに関する。
【背景技術】
【０００２】
上下水道プラントでは、中央監視設備及び各種コントローラ設備の更新を行う際、上下水道プラントの機能及び能力を維持しながら切替えることが求められる場合がある。また、施設の増改築、中央監視設備とコントローラとの保守性及び維持管理性の違い、コスト削減を目的とする設備の部分更新及び更新に伴う切替スペースの確保等の問題によって中央監視設備及び各種コントローラ設備を一括で更新することが少なくなっている。したがって、設備の納入時期を考慮し、一部の既設コントローラの流用等を行わなければならない場合があった。
【先行技術文献】
【特許文献】
【０００３】
【特許文献１】特開２０１２−９３９００号公報
【発明の概要】
【発明が解決しようとする課題】
【０００４】
本発明が解決しようとする課題は、既設コントローラを流用しつつ監視制御システムの切替えを行うことで、切替中のプラントの機能及び能力を維持しつつ更新に伴う切替スペースを省スペース化できる切替方法及び監視制御システムを提供することである。
【課題を解決するための手段】
【０００５】
実施形態の切替方法は、プラント設備の稼働状態を監視する既設のシステムである旧監視制御システムから、プラント設備の稼働状態を監視する未設のシステムである新監視制御システムに、プラント設備の稼働状態を表す状態データの送信先を切り替える切替方法であって、第１接続ステップと、第１導入ステップと、第１切替ステップと、第２接続ステップと、第２導入ステップと、第２切替ステップと、を持つ。第１接続ステップは、前記状態データを送信するコントローラが備える第２伝送部の伝送ケーブルを、前記新監視制御システムと通信可能に接続される第５通信装置及び第６通信装置へ接続する。第１導入ステップは、前記第２伝送部が備える記憶部に前記新監視制御システム接続ソフトウェアを導入する。第１切替ステップは、前記第２伝送部による前記状態データの送信先を前記新監視制御システムへ切り替える。第２接続ステップは、前記コントローラが備える第１伝送部の伝送ケーブルを、前記新監視制御システムと通信可能に接続される前記第５通信装置及び前記第６通信装置へ接続する。第２導入ステップは、前記第１伝送部が備える記憶部に前記新監視制御システム接続ソフトウェアを導入する。第２切替ステップは、前記第１伝送部による前記状態データの送信先を前記新監視制御システムへ切り替える。
【図面の簡単な説明】
【０００６】
【図１】実施形態の監視制御システム１の切替前の構成を表す構成図。
【図２】実施形態のコントローラ１１０の第１伝送部１２０及び第２伝送部１３０の切替前の構成を表す構成図。
【図３】実施形態の監視制御システム１の切替中の構成を表す構成図。
【図４】実施形態のコントローラ１１０ａの第１伝送部１２０及び第２伝送部１３０ａの切替中の構成を表す構成図。
【図５】実施形態の監視制御システム１の切替後の構成を表す構成図。
【図６】実施形態のコントローラ１１０bの第１伝送部１２０ａ及び第２伝送部１３０ａの切替後の構成を表す構成図。
【図７】実施形態の監視制御システム１の切替処理の流れを表すフローチャート。
【発明を実施するための形態】
【０００７】
以下、実施形態の切替方法及び監視制御システムを、図面を参照して説明する。
【０００８】
図１は、実施形態の監視制御システム１の切替前の構成を表す構成図である。監視制御システム１は、コントローラ設備１００と旧監視制御システム２００とを備える。コントローラ設備１００は、ネットワーク３００又はネットワーク４００を介して旧監視制御システム２００と通信可能に接続される。また、コントローラ設備１００は、ネットワーク３００又はネットワーク４００とは異なるネットワークを介して、複数の設備機器（不図示）と通信可能に接続される。コントローラ設備１００は、設備機器からプラント設備の稼働状態を表す状態データを受信する。コントローラ設備１００は、設備機器から受信する状態データを、旧監視制御システム２００へマルチキャスト又はブロードキャストで送信する。コントローラ設備１００は、複数のコントローラ１１０、第１通信装置１４０及び第２通信装置１５０を備える。複数の設備機器は、例えばプラント設備の備える受変電設備、ポンプ設備又は場外系施設用コントローラ等の水処理設備である。
【０００９】
コントローラ１１０は、第１伝送部１２０、第２伝送部１３０、入出力部１１２、制御部１１３及び電源部１１４を備える。
【００１０】
第１伝送部１２０は、ネットワークインタフェースである。第１伝送部１２０は、第１通信装置１４０及び第２通信装置１５０と通信可能に接続される。第１伝送部１２０は、例えば有線ＬＡＮ（Local Area Network）等の通信方式で通信してもよい。第１伝送部１２０は、トラッキングケーブル１１１を介して第２伝送部１３０と通信可能に接続される。本実施例では、第１伝送部１２０は、プライマリの伝送部として説明する。プライマリの伝送部は、第１伝送部１２０に異常が発生するまで又はユーザから切替指示を受け付けるまでは、第１通信装置１４０又は第２通信装置１５０を介して旧監視制御システム２００に状態データを送信する。
【００１１】
第２伝送部１３０は、ネットワークインタフェースである。第２伝送部１３０は、第１通信装置１４０及び第２通信装置１５０と通信可能に接続される。第２伝送部１３０は、例えば有線ＬＡＮ（Local Area Network）等の通信方式で通信してもよい。第２伝送部１３０は、トラッキングケーブル１１１を介して第１伝送部１２０と通信可能に接続される。本実施例では、第２伝送部１３０は、セカンダリの伝送部として説明する。セカンダリの伝送部は、第１伝送部１２０に異常が発生する又はユーザから切替指示を受け付けると、第１伝送部１２０に代わり、第１通信装置１４０又は第２通信装置１５０を介して旧監視制御システム２００に状態データを送信する。
【００１２】
入出力部１１２は、設備機器から状態データを受信する。入出力部１１２は、第１伝送部１２０又は第２伝送部１３０を介して状態データを旧監視制御システム２００に送信する。
【００１３】
制御部１１３は、コントローラ１１０の各部の動作を制御する。制御部１１３は、例えばＣＰＵ（Central Processing Unit）及びＲＡＭ（Random Access Memory）を備えた装置により実行される。
【００１４】
電源部１１４は、コントローラ１１０の各部に電力を供給する。電源部１１４は、例えば、ＰＯＥ（Power Of Ethernet）やＡＣ（Alternating Current）アダプタを備えた機器により実行される。
【００１５】
第１通信装置１４０は、ネットワーク３００を介して旧監視制御システム２００が備える第３通信装置２０１と通信可能に接続される。第１通信装置１４０は、コントローラ１１０が受信した状態データを旧監視制御システム２００に送信する。第１通信装置１４０は、例えばメディアコンバータである。
【００１６】
第２通信装置１５０は、ネットワーク４００を介して旧監視制御システム２００が備える第４通信装置２０２と通信可能に接続される。第２通信装置１５０は、コントローラ１１０が受信した状態データを旧監視制御システム２００に送信する。第２通信装置１５０は、例えばメディアコンバータである。
【００１７】
旧監視制御システム２００は、ネットワーク３００又はネットワーク４００を介して、コントローラ設備１００に設備を監視制御させる。旧監視制御システム２００は、第３通信装置２０１、第４通信装置２０２、監視制御装置２０３及び表示装置２０４を備える。
【００１８】
第３通信装置２０１は、ネットワーク３００を介して第１通信装置１４０と通信可能に接続される。第２通信装置１５０は、例えばメディアコンバータである。メディアコンバータの監視制御装置２０３側ポートはＨＵＢと接続されていてもよい。
【００１９】
第４通信装置２０２は、ネットワーク４００を介して第２通信装置１５０と通信可能に接続される。第４通信装置２０２は、例えばメディアコンバータである。メディアコンバータの監視制御装置２０３側ポートはＨＵＢと接続されていてもよい。
【００２０】
監視制御装置２０３は、プラントを監視、運用するユーザによる操作を受け付け、プラントの現在の状態及び状態の時系列を画面に表示する。このとき、監視制御装置２０３は、コントローラ設備１００から受け付けた状態データに基づいて、ユーザに指定された種類の情報又は予め定められた種類の情報を表示する映像信号を表示装置２０４に出力する。また、監視制御装置２０３は、ユーザによる操作を受け付け、受け付けた操作に基づいて制御データを生成する。監視制御装置２０３は、生成された制御データをコントローラ設備１００へ送信する。
【００２１】
また、監視制御装置２０３は、予め定められた設定値と状態データに含まれる測定値とを比較し、比較結果に基づいた通知や警報のメッセージを表示装置２０４に出力する。監視制御装置２０３は、メッセージを監視制御装置２０３に蓄積させる。監視制御装置２０３は、ユーザによる操作を受け付け、状態データ、制御データおよびメッセージに基づいた履歴データを生成する。監視制御装置２０３は、精製された履歴データを表示装置２０４に出力させる。履歴データは監視制御装置２０３に蓄積される。ここで、履歴データは、帳票データや、メッセージと計測値との時系列を組み合わせたデータ、警報の時系列データなどを含む。
【００２２】
表示装置２０４は、ＣＲＴ（Cathode Ray Tube）ディスプレイ、液晶ディスプレイ、有機ＥＬ（Electro Luminescence）ディスプレイ等の装置である。表示装置２０４は、監視制御装置２０３から受け付けた映像信号を表示する。
【００２３】
ネットワーク３００及びネットワーク４００は、どのようなネットワークで構築されてもよい。例えば、ネットワーク３００及びネットワーク４００は、ＷＡＮ（Wide Area Network）で構成されてもよいし、インターネットで構成されてもよい。
【００２４】
図２は、実施形態のコントローラ１１０の第１伝送部１２０及び第２伝送部１３０の切替前の構成を表す構成図である。第１伝送部１２０は、イーサネット（登録商標）基板１２１、記憶装置１２２、ＣＰＵ１２３、インタフェース１２４及び電源１２５を備える。第２伝送部１３０は、イーサネット基板１３１、記憶装置１３２、ＣＰＵ１３３、インタフェース１３４及び電源１３５を備える。記憶装置１２２又は記憶装置１３２は記憶部の一態様である。
【００２５】
イーサネット基板１２１は、伝送ケーブルを介して第１通信装置１４０と第２通信装置１５０と通信可能に接続される基板である。伝送ケーブルは例えば、ＬＡＮケーブルである。伝送ケーブルは光ファイバであってもよい。記憶装置１２２は、半導体記憶装置等の記憶装置を用いて構成される。記憶装置１２２は、旧監視制御システム接続ソフトウェアを記憶する。
【００２６】
ＣＰＵ１２３は、第１伝送部１２０の各部の動作を制御する。インタフェース１２４は、トラッキングケーブル１１１を介してインタフェース１３４と接続される。インタフェース１２４は伝送ケーブルを介して入出力部１１２と接続される。インタフェース１２４は、入出力部１１２から状態データを受信する。電源１２５は、第１伝送部１２０の各部に電力を供給する。電源１２５は、電源部１１４から電力の供給を受ける。
【００２７】
イーサネット基板１３１は、伝送ケーブルを介して第１通信装置１４０と第２通信装置１５０と通信可能に接続される基板である。伝送ケーブルは例えば、ＬＡＮケーブルである。伝送ケーブルは光ファイバであってもよい。記憶装置１３２は、半導体記憶装置等の記憶装置を用いて構成される。記憶装置１３２は、旧監視制御システム接続ソフトウェアを記憶する。
【００２８】
ＣＰＵ１３３は、第２伝送部１３０の各部の動作を制御する。インタフェース１３４は、トラッキングケーブル１１１を介してインタフェース１２４と接続される。インタフェース１３４は伝送ケーブルを介して入出力部１１２と接続される。インタフェース１３４は、入出力部１１２から状態データを受信する。電源１３５は、第２伝送部１３０の各部に電力を供給する。電源１３５は、電源部１１４から電力の供給を受ける。
【００２９】
図３は、実施形態の監視制御システム１の切替中の構成を表す構成図である。切替中における監視制御システム１は、コントローラ設備１００の代わりにコントローラ設備１００ａを備える点、新監視制御システム５００をさらに備える点で切替前における監視制御システム１と異なるが、それ以外の構成は同じである。以下、切替前の監視制御システム１と異なる点について説明する。
【００３０】
コントローラ設備１００ａは、ネットワーク３００又はネットワーク４００を介して旧監視制御システム２００と新監視制御システム５００と通信可能に接続される。また、コントローラ設備１００ａは、ネットワーク３００又はネットワーク４００とは異なるネットワークを介して、複数の設備機器（不図示）と通信可能に接続される。コントローラ設備１００ａは、設備機器から状態データを受信する。コントローラ設備１００ａは、設備機器から受信する状態データを、所定の条件に基づいて、旧監視制御システム２００又は新監視制御システム５００へマルチキャスト又はブロードキャストで送信する。所定の条件とは、例えば時間で送信先を切り替えてもよいし、ユーザが送信先を指定してもよい。
【００３１】
コントローラ設備１００ａは、複数のコントローラ１１０の代わりに複数のコントローラ１１０ａを備える。コントローラ設備１００ａは、第５通信装置１６０及び第６通信装置１７０をさらに備える。以下、切替前のコントローラ設備１００と異なる点について説明する。
【００３２】
コントローラ１１０ａは、第２伝送部１３０の代わりに第２伝送部１３０ａを備える点で、切替前のコントローラ１１０と異なる。第２伝送部１３０ａは、ネットワークインタフェースである。第２伝送部１３０ａは、第５通信装置１６０及び第６通信装置１７０と通信可能に接続される。第２伝送部１３０ａは、第２伝送部１３０が備えるイーサネット基板を新監視制御システム接続用イーサネット基板に切り替えた装置である。第２伝送部１３０ａは、第２伝送部１３０が備える旧監視制御システム接続用ソフトウェアを新監視制御システム接続用ソフトウェアに切り替えた装置である。
【００３３】
第２伝送部１３０ａは、トラッキングケーブル１１１を介して第１伝送部１２０と接続される。切替中は、第２伝送部１３０ａは第１伝送部１２０とは通信できない。なお、切替中にトラッキングケーブル１１１が外されると、コントローラ１１０ａは、コントローラ１１０ａに異常が発生したと判断する。したがって、切替中はトラッキングケーブル１１１は接続された状態が維持される。異常とは、例えばコントローラダウンと呼ばれる故障発生状態である。切替中のコントローラ１１０ａは、シングル×２の構成で稼働する。シングル×２の構成は、第１伝送部１２０は旧監視制御システム２００に対して状態データを送信し、第２伝送部１３０ａは、新監視制御システム５００に対して状態データを送信する構成である。
【００３４】
第５通信装置１６０は、ネットワーク３００を介して新監視制御システム５００が備える第７通信装置５０１と通信可能に接続される。第５通信装置１６０は、コントローラ１１０ａが受信した状態データを新監視制御システム５００に送信する。第５通信装置１６０は、例えばメディアコンバータである。
【００３５】
第６通信装置１７０は、ネットワーク４００を介して新監視制御システム５００が備える第８通信装置５０２と通信可能に接続される。第６通信装置１７０は、コントローラ１１０ａが受信した状態データを新監視制御システム５００に送信する。第６通信装置１７０は、例えばメディアコンバータである。
【００３６】
新監視制御システム５００は、ネットワーク３００又はネットワーク４００を介して、コントローラ設備１００ａに設備を監視制御させる。新監視制御システム５００は、第７通信装置５０１、第８通信装置５０２、監視制御装置５０３及び表示装置５０４を備える。
【００３７】
第７通信装置５０１は、ネットワーク３００を介して第５通信装置１６０と通信可能に接続される。第７通信装置５０１は、例えばメディアコンバータである。メディアコンバータの監視制御装置５０３側ポートはＨＵＢと接続されていてもよい。
【００３８】
第８通信装置５０２は、ネットワーク４００を介して第６通信装置１７０と通信可能に接続される。第８通信装置５０２は、例えばメディアコンバータである。メディアコンバータの監視制御装置５０３側ポートはＨＵＢと接続されていてもよい。
【００３９】
監視制御装置５０３は、プラントを監視、運用するユーザによる操作を受け付け、プラントの現在の状態及び状態の時系列を画面に表示する。このとき、監視制御装置５０３は、コントローラ設備１００ａから受け付けた状態データに基づいて、ユーザに指定された種類の情報又は予め定められた種類の情報を表示する映像信号を表示装置５０４に出力する。また、監視制御装置５０３は、ユーザによる操作を受け付け、受け付けた操作に基づいて制御データを生成する。監視制御装置５０３は、生成された制御データをコントローラ設備１００ａへ送信する。
【００４０】
また、監視制御装置５０３は、予め定められた設定値と状態データに含まれる測定値とを比較し、比較結果に基づいた通知や警報のメッセージを表示装置５０４に出力する。監視制御装置５０３は、メッセージを監視制御装置５０３に蓄積させる。監視制御装置５０３は、ユーザによる操作を受け付け、状態データ、制御データおよびメッセージに基づいた履歴データを生成する。監視制御装置５０３は、精製された履歴データを表示装置５０４に出力させる。履歴データは監視制御装置５０３に蓄積される。ここで、履歴データは、帳票データや、メッセージと計測値との時系列を組み合わせたデータ、警報の時系列データなどを含む。
【００４１】
表示装置５０４は、ＣＲＴ（Cathode Ray Tube）ディスプレイ、液晶ディスプレイ、有機ＥＬ（Electro Luminescence）ディスプレイ等の装置である。表示装置５０４は、監視制御装置５０３から受け付けた映像信号を表示する。
【００４２】
図４は、実施形態のコントローラ１１０ａの第１伝送部１２０及び第２伝送部１３０ａの切替中の構成を表す構成図である。第２伝送部１３０ａは、イーサネット基板１３１の代わりにイーサネット基板１３１ａ及びイーサネット基板１３１ｂを備え、記憶装置１３２の代わりに記憶装置１３２ａを備える点で切替前のコントローラ１１０と異なる。以下、コントローラ１１０と異なる点について説明する。記憶装置１３２ａは記憶部の一態様である。
【００４３】
イーサネット基板１３１ａは、第５通信装置１６０と通信を行う伝送ケーブルが接続される基板である。伝送ケーブルは例えば、ＬＡＮケーブルである。伝送ケーブルは光ファイバであってもよい。イーサネット基板１３１ｂは、第６通信装置１７０と通信を行う伝送ケーブルが接続される基板である。伝送ケーブルは例えば、ＬＡＮケーブルである。伝送ケーブルは光ファイバであってもよい。イーサネット基板１３１ａ及びイーサネット基板１３１ｂは、イーサネット基板１３１が取り外されて、新たに取り付けられた基板である。
【００４４】
記憶装置１３２ａは、半導体記憶装置等の記憶装置を用いて構成される。記憶装置１３２ａは、新監視制御システム接続ソフトウェアを記憶する。記憶装置１３２ａは、記憶装置１３２に、新監視制御システム接続ソフトウェアをダウンロードし、アップデートされた記憶装置である。
【００４５】
図５は、実施形態の監視制御システム１の切替後の構成を表す構成図である。切替後における監視制御システム１は、コントローラ設備１００ａの代わりにコントローラ設備１００ｂを備える点、旧監視制御システム２００を備えない点で切替中における監視制御システム１と異なるが、それ以外の構成は同じである。以下、切替中の監視制御システム１と異なる点について説明する。
【００４６】
コントローラ設備１００ｂは、ネットワーク３００又はネットワーク４００を介して新監視制御システム５００と通信可能に接続される。また、コントローラ設備１００ｂは、ネットワーク３００又はネットワーク４００とは異なるネットワークを介して、複数の設備機器（不図示）と通信可能に接続される。コントローラ設備１００ｂは、設備機器から状態データを受信する。コントローラ設備１００ｂは、設備機器から受信する状態データを、新監視制御システム５００へマルチキャスト又はブロードキャストで送信する。
【００４７】
コントローラ設備１００ｂは、コントローラ１１０ａの代わりにコントローラ１１０ｂを備える。コントローラ設備１００ｂは、第１通信装置１４０及び第２通信装置１５０を備えない。以下、切替中のコントローラ設備１００ａと異なる点について説明する。
【００４８】
コントローラ１１０ｂは、第１伝送部１２０の代わりに第１伝送部１２０ａを備える点で、切替中のコントローラ１１０ａと異なる。第１伝送部１２０ａは、ネットワークインタフェースである。第１伝送部１２０ａは、第５通信装置１６０及び第６通信装置１７０と通信可能に接続される。第１伝送部１２０ａは、第１伝送部１２０が備えるイーサネット基板１２１を新監視制御システム接続用イーサネット基板に切り替えた装置である。第１伝送部１２０ａは、第１伝送部１２０が備える旧監視制御システム接続用ソフトウェアを新監視制御システム接続用ソフトウェアに切り替えた装置である。
【００４９】
第１伝送部１２０ａは、トラッキングケーブル１１１を介して第２伝送部１３０ａと通信可能に接続される。本実施例では、第１伝送部１２０ａは、プライマリの伝送部として、第2伝送部１３０ａは、セカンダリの伝送部として、説明する。プライマリの伝送部は、第１伝送部１２０ａに異常が発生するまで又はユーザから切替指示を受け付けるまでは、第５通信装置１６０又は第６通信装置１７０を介して新監視制御システム５００に状態データを送信する。第1伝送部１２０ａに異常が発生した場合又はユーザから切替指示を受け付けた場合、第1伝送部１２０ａの代わりに第2伝送部１３０ａは、第５通信装置１６０又は第６通信装置１７０を介して新監視制御システム５００に状態データを送信する。
【００５０】
図６は、実施形態のコントローラ１１０bの第１伝送部１２０ａ及び第２伝送部１３０ａの切替後の構成を表す構成図である。第１伝送部１２０ａは、イーサネット基板１２１の代わりにイーサネット基板１２１ａ及びイーサネット基板１２１bを備え、記憶装置１２２の代わりに記憶装置１２２ａを備える点で切替中のコントローラ１１０ａと異なる。以下、コントローラ１１０ａと異なる点について説明する。記憶装置１２２ａは記憶部の一態様である。
【００５１】
イーサネット基板１２１ａは、第５通信装置１６０と通信を行う伝送ケーブルが接続される基板である。伝送ケーブルは例えば、ＬＡＮケーブルである。伝送ケーブルは光ファイバであってもよい。イーサネット基板１２１ｂは、第６通信装置１７０と通信を行う伝送ケーブルが接続される基板である。伝送ケーブルは例えば、ＬＡＮケーブルである。伝送ケーブルは光ファイバであってもよい。イーサネット基板１２１ａ及びイーサネット基板１２１ｂは、イーサネット基板１２１が取り外されて、新たに取り付けられた基板である。
【００５２】
記憶装置１２２ａは、半導体記憶装置等の記憶装置を用いて構成される。記憶装置１２２ａは、新監視制御システム接続ソフトウェアを記憶する。記憶装置１２２ａは、記憶装置１２２に、新監視制御システム接続ソフトウェアをダウンロードし、アップデートされた記憶装置である。
【００５３】
図７は、実施形態の監視制御システムの切替処理の流れを表すフローチャートである。ステップＳ１０１からステップＳ１０７までは、第２伝送部１３０の接続先切替処理である。ステップＳ１０８からステップＳ１１４までは、第１伝送部１２０の接続先切替処理である。なお、ステップＳ１０８からステップＳ１１４までの間は、シングル×２の構成で運用される。
【００５４】
ユーザは、第２伝送部１３０のイーサネット基板１３１に接続される伝送ケーブルを取り外す（ステップＳ１０１）。ユーザは、第２伝送部１３０からイーサネット基板１３１を取り外す（ステップＳ１０２）。ユーザは、第２伝送部１３０にイーサネット基板１３１a及びイーサネット基板１３１bを取り付ける（ステップＳ１０３）。ユーザは、第５通信装置１６０のコントローラ１１０側ポートとイーサネット基板１３１ａを伝送ケーブルで接続する。ユーザは、第６通信装置１７０のコントローラ１１０側ポートとイーサネット基板１３１bを伝送ケーブルで接続する。（ステップＳ１０４）。ユーザは、第２伝送部１３０の記憶装置１３２に新監視制御システム接続ソフトウェアをダウンロードする（ステップＳ１０５）。ユーザは、記憶装置１３２に新監視制御システム接続ソフトウェアをアップデートする。ここで、記憶装置１３２を記憶装置１３２ａとする（ステップＳ１０６）。ユーザは、第２伝送部１３０の通信先を旧監視制御システム２００から新監視制御システム５００とする。ここで、第２伝送部１３０を、第２伝送部１３０ａとする（ステップＳ１０７）。ここで、コントローラ１１０を、コントローラ１１０ａとする。
【００５５】
ユーザは、第１伝送部１２０のイーサネット基板１２１に接続される伝送ケーブルを取り外す（ステップＳ１０８）。ユーザは、第１伝送部１２０からイーサネット基板１２１を取り外す（ステップＳ１０９）。ユーザは、第１伝送部１２０にイーサネット基板１２１a及びイーサネット基板１２１bを取り付ける（ステップＳ１１０）。ユーザは、第５通信装置１６０のコントローラ１１０ａ側ポートとイーサネット基板１２１ａを伝送ケーブルで接続する。ユーザは、第６通信装置１７０のコントローラ１１０ａ側ポートとイーサネット基板１２１bを伝送ケーブルで接続する。（ステップＳ１１１）。ユーザは、第１伝送部１２０の記憶装置１２２に新監視制御システム接続ソフトウェアをダウンロードする（ステップＳ１１２）。ユーザは、記憶装置１２２に新監視制御システム接続ソフトウェアをアップデートする。ここで、記憶装置１２２は記憶装置１２２ａとする（ステップＳ１１３）。ユーザは、第１伝送部１２０の通信先を旧監視制御システム２００から新監視制御システム５００とする。ここで、第１伝送部１２０は、第１伝送部１２０ａとする（ステップＳ１１４）。ここで、コントローラ１１０ａを、コントローラ１１０ｂとする。
【００５６】
このように構成された監視制御システム１では、切替の際にコントローラ１１０のイーサネット基板を入れ替えて、ソフトウェアをアップデートする。そして、旧監視制御システム２００から新監視制御システム５００へ接続先を切り替える。そのため、新しくコントローラ１１０を設置及び導入することなく、旧監視制御システム２００から新監視制御システム５００への切替ができる。したがって、切替中もプラントの機能及び能力を維持することができ、さらに更新に伴う切替スペース確保の問題を解消できる。
【００５７】
以上説明した少なくともひとつの実施形態によれば、切替中において旧監視制御システム２００及び新監視制御システム５００のどちらに対しても、コントローラ１１０は状態データを送信できる状態を持つことにより、切替中のプラントの機能及び能力を維持することと更新に伴う切替スペース確保との問題を解消することができる。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１…監視制御システム、１００…コントローラ設備、１１０…コントローラ、１１１…トラッキングケーブル、１１２…入出力部、１１３…制御部、１１４…電源部、１２０…第１伝送部、１２１…イーサネット基板、１２２…記憶装置、１２３…ＣＰＵ、１２４…インタフェース、１２５…電源、１３０…第２伝送部、１３１…イーサネット基板、１３２…記憶装置、１３３…ＣＰＵ、１３４…インタフェース、１３５…電源、１４０…第１通信装置、１５０…第２通信装置、１６０…第５通信装置、１７０…第６通信装置、２００…旧監視制御システム、２０１…第３通信装置、２０２…第４通信装置、２０３…監視制御装置、２０４…表示装置、３００…ネットワーク、４００…ネットワーク、５００…新監視制御システム、５０１…第７通信装置、５０２…第８通信装置、５０３…監視制御装置、５０４…表示装置、１００ａ…コントローラ設備、１１０ａ…コントローラ、１３０ａ…第２伝送部、１３１ａ…イーサネット基板、１３１ｂ…イーサネット基板、１３２ａ…記憶装置、１００ｂ…コントローラ設備、１１０ｂ…コントローラ、１２０ａ…第１伝送部、１２１ａ…イーサネット基板、１２１ｂ…イーサネット基板、１２２ａ…記憶装置
【図１】
2018156583.tif 000003
【図２】
2018156583.tif 000004
【図３】
2018156583.tif 000005
【図４】
2018156583.tif 000006
【図５】
2018156583.tif 000007
【図６】
2018156583.tif 000008
【図７】
2018156583.tif 000009